(57)【要約】【課題】 自動車のスライドドア用として使用された場合に、ドアを軽い力で開けることができるとともに、ドアを閉めるときの抵抗が小さくなりすぎないようにすることができる転がり軸受を提供する。【解決手段】  時計方向回転と反時計方向回転とでトルクが異なるように、一部のポケット15の時計方向側保持面15aと反時計方向側保持面15bとが非対称形状に形成されている。時計方向側保持面15aおよび反時計方向側保持面15bは、一方が円弧面で、他方が傾斜面とされている。【選択図】    図２
2006029370.tif 000002
【特許請求の範囲】
【請求項１】
外輪、内輪、両輪間に配置された転動体、および転動体を保持する複数のポケットを有する保持器を備えている転がり軸受において、時計方向回転と反時計方向回転とでトルクが異なるように、一部のポケットの時計方向側保持面と反時計方向側保持面とが非対称形状に形成されていることを特徴とする転がり軸受。
【請求項２】
時計方向側保持面および反時計方向側保持面は、一方が円弧面で、他方が傾斜面とされている請求項１の転がり軸受。
【発明の詳細な説明】
【技術分野】
【０００１】
この発明は、転がり軸受に関し、さらに詳しくは、スライドドアで使用されるのに好適な転がり軸受に関する。
【背景技術】
【０００２】
自動車のスライドドアでは、スライドドアを支持してガイドレールの支持軌道面に沿って走行するローラが必要であり、このローラに転がり軸受が使用されている。（特許文献１）。
【０００３】
転がり軸受は、時計方向回転と反時計方向回転とで同じトルクを有するように、保持器のポケットの時計方向側保持面と反時計方向側保持面とが対称（いずれも円弧面）に形成されている。
【特許文献１】特開平８−１７５１８３号公報
【発明の開示】
【発明が解決しようとする課題】
【０００４】
自動車のスライドドアにおいては、ドアを軽い力で開けることができるように、軸受トルクを小さくすることが望まれている。しかしながら、軸受トルクを必要以上に小さくすると、ドアを閉めるときの抵抗が小さすぎて、ドアが急速に動いて指が挟まれやすいなどの問題が生じる。
【０００５】
この発明の目的は、自動車のスライドドア用として使用された場合に、ドアを軽い力で開けることができるとともに、ドアを閉めるときの抵抗が小さくなりすぎないようにすることができる転がり軸受を提供することにある。
【課題を解決するための手段】
【０００６】
この発明による転がり軸受は、外輪、内輪、両輪間に配置された転動体、および転動体を保持する複数のポケットを有する保持器を備えている転がり軸受において、時計方向回転と反時計方向回転とでトルクが異なるように、一部のポケットの時計方向側保持面と反時計方向側保持面とが非対称形状に形成されていることを特徴とするものである。
【０００７】
非対称とされるポケットは、すべてではなく、また、等間隔で設けられるものではない。例えば、ポケットが８つある場合には、２〜４程度の連続したポケットが非対称形状に形成される。
【０００８】
時計方向側保持面および反時計方向側保持面を非対称とするには、例えば、一方が円弧面で、他方が傾斜面とすればよい。円弧面は、通常の形状であり、転動体が円弧面に当たった場合には、転動体のピッチ円方向の力がポケットに作用する。傾斜面は、径方向を基準にして傾斜した面で、径方向に対して、時計方向に傾斜していても反時計方向に傾斜していてもよい。転動体が公転して傾斜面側に移動したときの傾斜面に作用する力は、転動体のピッチ円方向成分だけでなく、径方向成分も有しており、これにより、保持面が径方向に移動し、保持器全体が芯ずれする。そのため、保持器と軌道輪（外輪または内輪）との間に摩擦力が発生し、軸受トルクが大きくなる。傾斜面は、平坦である必要はなく、径方向の力の成分を有するように、転動体方向に凸円弧状とされていてもよく、凹円弧状とされていてもよい。
【０００９】
転動体は、玉でもよく、円筒ころでもよい。
【００１０】
この発明による転がり軸受は、自動車のスライドドアを支持するローラに使用するのに適しているが、用途は、これに限定されるものではなく、ドア以外のスライド装置やその他種々の回転部分において使用することができる。
【発明の効果】
【００１１】
この発明の転がり軸受によると、時計方向回転と反時計方向回転とでトルクが異なるように、一部のポケットの時計方向側保持面と反時計方向側保持面とが非対称形状に形成されているので、自動車のスライドドア用として使用された場合に、ドアを軽い力で開けることができるとともに、ドアを閉めるときの抵抗が小さくなりすぎないようにすることができる。
【発明を実施するための最良の形態】
【００１２】
この発明の実施の形態を、以下図面を参照して説明する。
【００１３】
図１は、この発明の転がり軸受が好適に使用されるスライドドアの支持装置を示している。同図において、スライドドアに固定されるアーム(1)に、ブラケット(2)が回動可能に取り付けられており、ブラケット(2)に、前後方向に所定の間隔を隔てた２つの案内ローラ(3)(4)および２つの案内ローラ(3)(4)の間に位置する支持ローラ(5)が取り付けられている。支持ローラ(5)は、レール(6)の底面に支持されてスライドドアの重量を支持しており、支持ローラ(5)の回転時の抵抗力がドア開閉時の軽さ・重さに大きく影響を与えている。
【００１４】
支持ローラ(5)としては、図２に示すように、外輪(11)、内輪(12)、両輪(11)(12)間に配置された玉(13)、および玉(13)を保持する複数のポケット(15)(16)を有する冠型保持器(14)を備えている転がり軸受が使用されており、内輪(12)がブラケット(2)に固定された軸(5a)に固定されて、外輪(11)が回転することにより、スライドドアのスムーズな開閉が確保されている。
【００１５】
転がり軸受では、通常、保持器のすべてのポケットの保持面が同じ形状とされ、時計方向に回転した場合と反時計方向に回転した場合とで同じ抵抗（回転トルク）を有するように形成されているが、上記支持ローラ(5)として使用されている転がり軸受の保持器(14)は、すべてのポケット(15)(16)のうち、符号(15)で示す３つのポケットについて、ポケット(15)の時計方向側保持面(15a)と反時計方向側保持面(15b)とが玉(13)の中心を通る径方向面に対して非対称形状に形成されている。この結果、玉(13)が時計方向に公転したときに保持器(14)が受ける力の方向と玉(13)が反時計方向に公転したときに保持器(14)が受ける力の方向とが異なるようになされている。
【００１６】
図３は、非対称保持面ポケット(15)の拡大図であり、同図（ａ）に示すように、ポケット(15)の時計方向側保持面(15a)は、玉(13)を抱くような円弧面（通常の形状）とされ、反時計方向側保持面(15b)は、その径方向外縁部と玉(13)との距離が径方向内縁部と玉(13)との距離よりも小さい傾斜面とされている。玉(13)が相対的に反時計方向に移動して、玉(13)と傾斜面とされている反時計方向側保持面(15b)との間に力が作用する場合、反時計方向側保持面(15b)には、同図（ｂ）に示すように、傾斜面に直交する力が作用し、この結果、反時計方向側保持面(15b)は径方向外向きに移動させられる。この反対側（１８０°離れたポケット(16)）では、時計方向側保持面(16a)および反時計方向側保持面(16b)は、いずれも円弧面とされているので、反時計方向側保持面(16b)にはピッチ円の接線方向の力が作用し、保持器(14)全体を径方向に移動させる力は生じない。したがって、３つの非対称保持面ポケット(15)に作用する径方向外向きの力の総和が保持器(14)に径方向の力として作用することになり、図２の状態にある保持器(14)全体が上方に移動（偏心）し、保持器(14)と外輪(11)との間に大きい摩擦力が生じる。これにより、軸受の回転トルクが増大する。これとは逆に、玉(13)が相対的に時計方向に移動する場合、このような大きいトルクは発生しないので、時計方向と反時計方向とでトルクの大きさが相違する。したがって、この転がり軸受をスライドドア用として使用する場合に、軸受トルクが大きい方向をドアが閉まる方向に、逆の方向をドアが開く方向にすることにより、部品点数を増やすことなく、ドアを軽い力で開けることができるとともに、ドアを閉めるときの抵抗が小さくなりすぎないようにすることができる。
【００１７】
図４は、この発明による転がり軸受の異なる実施形態を示すもので、上記実施形態の非対称保持面ポケット(15)に置き換えることで同様の効果が得られるもので、同図（ａ）に示すように、ポケット(25)の時計方向側保持面(25a)は、玉(13)を抱くような円弧面（通常の形状）とされ、反時計方向側保持面(25b)は、その径方向外縁部と玉(13)との距離が径方向内縁部と玉(13)との距離よりも大きい傾斜面とされている。玉(13)が相対的に反時計方向に移動して、玉(13)と傾斜面とされている反時計方向側保持面(25b)との間に力が作用する場合、反時計方向側保持面(25b)には、同図（ｂ）に示すように、傾斜面に直交する力が作用し、この結果、反時計方向側保持面(25b)は径方向内向きに移動させられる。この反対側（１８０°離れたポケット(16)）では、時計方向側保持面(16a)および反時計方向側保持面(16b)は、いずれも円弧面とされているので、反時計方向側保持面(16b)にはピッチ円の接線方向の力が作用し、保持器(14)全体を径方向に移動させる力は生じない。したがって、３つの非対称保持面ポケット(25)に作用する径方向外向きの力の総和が保持器(14)に径方向の力として作用することになり、図２の状態にある保持器(14)全体が下方に移動（偏心）し、保持器(14)と内輪(12)との間に大きい摩擦力が生じる。これにより、軸受の回転トルクが増大する。これとは逆に、玉(13)が相対的に時計方向に移動する場合、このような大きいトルクは発生しないので、時計方向と反時計方向とでトルクの大きさが相違する。したがって、この転がり軸受をスライドドア用として使用する場合に、軸受トルクが大きい方向をドアが閉まる方向に、逆の方向をドアが開く方向にすることにより、部品点数を増やすことなく、ドアを軽い力で開けることができるとともに、ドアを閉めるときの抵抗が小さくなりすぎないようにすることができる。
【００１８】
なお、上記実施形態では、ポケットが８つで、そのうちの３つが非対称とされているが、ポケットの全数および非対称とされるポケットの数は適宜変更可能である。また、玉を円筒ころとしても、同様の効果を得ることができる。
【図面の簡単な説明】
【００１９】
【図１】図１は、この発明による転がり軸受の使用例の１例であるスライドドアの一部を示す側面図である。
【図２】図２は、この発明による転がり軸受の１実施形態を示す横断面図である。
【図３】図３は、図２の要部の拡大横断面図である。
【図４】図４は、この発明による転がり軸受の他の実施形態を示す要部の拡大横断面図である。
【符号の説明】
【００２０】
(11)      外輪
(12)      内輪
(13)      玉（転動体）
(14)      保持器
(15)(16)  ポケット
(15a)     時計方向側保持面
(15b)     反時計方向側保持面
(25)      ポケット
(25a)     時計方向側保持面
(25b)     反時計方向側保持面
【図１】
2006029370.tif 000003
【図２】
2006029370.tif 000004
【図３】
2006029370.tif 000005
【図４】
2006029370.tif 000006